(57)【要約】【課題】移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにハンドオーバする。【解決手段】本発明に係る移動通信方法は、ＴＤＤ方式の無線基地局ｅＮＢ＃２が、移動局ＵＥに対して「Ｄｅｆａｕｌｔ  Ｃｏｎｆｉｇｕｒａｔｉｏｎ」を含む「Ｈａｎｄｏｖｅｒ  Ｃｏｍｍａｎｄ」を送信する工程と、ＴＤＤ方式の無線基地局ｅＮＢ＃２が、移動局ＵＥに対して「ＵＥ  Ｃａｐａｂｉｌｉｔｙ  Ｒｅｑｕｅｓｔ」を送信する工程と、移動局ＵＥが、「ＵＥ  Ｃａｐａｂｉｌｉｔｙ  Ｒｅｑｕｅｓｔ」に応じて、ＴＤＤ方式の無線基地局ｅＮＢ＃２に対して、ＴＤＤ方式におけるＦＧＩビットセットを送信する工程とを有する。【選択図】図４
2013102290.tif 000002
【特許請求の範囲】
【請求項１】
移動局が、ＦＤＤ方式の無線基地局配下のセルからＴＤＤ方式の無線基地局配下のセルにハンドオーバする移動通信方法であって、
前記ＴＤＤ方式の無線基地局が、前記ＦＤＤ方式の無線基地局から、ハンドオーバ要求信号を受信すると、該ＦＤＤ方式の無線基地局を介して、前記移動局に対して、通信を行うために必要なＴＤＤ方式及びＦＤＤ方式で共通の設定情報を含むハンドオーバ指示信号を送信する工程と、
前記ＴＤＤ方式の無線基地局が、前記移動局から、ハンドオーバ完了信号を受信すると、該移動局に対して、能力要求信号を送信する工程と、
前記移動局が、前記能力要求信号に応じて、前記ＴＤＤ方式の無線基地局に対して、該移動局によってサポートされている必須機能について示すＴＤＤ方式用の機能グループ指示情報を送信する工程と、
前記ＴＤＤ方式の無線基地局が、移動管理ノードに対して、前記ＴＤＤ方式用の機能グループ指示情報を送信する工程とを有することを特徴とする移動通信方法。
【請求項２】
移動局が、ＴＤＤ方式の無線基地局配下のセルからＦＤＤ方式の無線基地局配下のセルにハンドオーバする移動通信方法であって、
前記ＦＤＤ方式の無線基地局が、前記ＴＤＤ方式の無線基地局から、ハンドオーバ要求信号を受信すると、該ＴＤＤ方式の無線基地局を介して、前記移動局に対して、通信を行うために必要なＴＤＤ方式及びＦＤＤ方式で共通の設定情報を含むハンドオーバ指示信号を送信する工程と、
前記ＦＤＤ方式の無線基地局が、前記移動局から、ハンドオーバ完了信号を受信すると、該移動局に対して、能力要求信号を送信する工程と、
前記移動局が、前記能力要求信号に応じて、前記ＦＤＤ方式の無線基地局に対して、該移動局によってサポートされている必須機能について示すＦＤＤ方式用の機能グループ指示情報を送信する工程と、
前記ＦＤＤ方式の無線基地局が、移動管理ノードに対して、前記ＦＤＤ方式用の機能グループ指示情報を送信する工程とを有することを特徴とする移動通信方法。
【請求項３】
ＴＤＤ方式の無線基地局であって、
移動局のＦＤＤ方式の無線基地局配下のセルから前記ＴＤＤ方式の無線基地局配下のセルへのハンドオーバ処理において、
前記ＦＤＤ方式の無線基地局からハンドオーバ要求信号が受信された場合、該ＦＤＤ方式の無線基地局を介して、前記移動局に対して、通信を行うために必要なＴＤＤ方式及びＦＤＤ方式で共通の設定情報を含むハンドオーバ指示信号を送信するように構成されている送信部と、
前記移動局からハンドオーバ完了信号が受信された場合、該移動局から、該移動局によってサポートされている必須機能について示すＴＤＤ方式用の機能グループ指示情報を取得するように構成されている受信部とを具備することを特徴とする無線基地局。
【請求項４】
ＦＤＤ方式の無線基地局であって、
移動局のＴＤＤ方式の無線基地局配下のセルから前記ＦＤＤ方式の無線基地局配下のセルへのハンドオーバ処理において、
前記ＴＤＤ方式の無線基地局からハンドオーバ要求信号が受信された場合、該ＴＤＤ方式の無線基地局を介して、前記移動局に対して、通信を行うために必要なＴＤＤ方式及びＦＤＤ方式で共通の設定情報を含むハンドオーバ指示信号を送信するように構成されている送信部と、
前記移動局からハンドオーバ完了信号が受信された場合、該移動局から、該移動局によってサポートされている必須機能について示すＦＤＤ方式用の機能グループ指示情報を取得するように構成されている受信部とを具備することを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、あるリリース（Ｒｅｌｅａｓｅ）に含まれる必須（Ｍａｎｄａｔｏｒｙ）機能は、非常に多く存在するため、あるリリースに対応している移動局ＵＥであっても、一概に全ての必須機能をサポートしているというわけではない。
【０００３】
したがって、ＬＴＥ方式では、あるリリース（例えば、Ｒｅｌｅａｓｅ-８やＲｅｌｅａｓｅ-１０等）において移動局ＵＥによってサポートされている必須機能について示す「ＦＧＩビットセット（Ｆｅａｔｕｒｅ  Ｇｒｏｕｐ  Ｉｎｄｉｃａｔｏｒ、機能グループ指示情報）」が規定されている（非特許文献１参照）。
【０００４】
具体的には、ＦＧＩビットセットは、あるリリースにおける必須機能のグループ毎に移動局ＵＥが対応するか否かについて示すＦＧＩビットの集合である。
【０００５】
また、ＦＩＧビットセットは、「ＵＥ  Ｃａｐａｂｉｌｉｔｙ  Ｉｎｆｏｒｍａｔｉｏｎ」によって、移動局ＵＥから無線アクセスネットワークに対して通知されるように構成されている。
【０００６】
現在、ＬＴＥ方式の仕様策定会議において、ＦＤＤ（Ｆｒｅｑｕｅｎｃｙ  Ｄｉｖｉｓｉｏｎ  Ｄｕｐｌｅｘ）方式におけるＦＧＩビットセット及びＴＤＤ（Ｔｉｍｅ  Ｄｉｖｉｓｉｏｎ  Ｄｕｐｌｅｘ）方式におけるＦＧＩビットセットを区別することなく、共通のシグナリング（例えば、ＲＲＣシグナリング）で制御することが検討されている。
【０００７】
また、ＬＴＥ方式の仕様策定会議において、移動局ＵＥが、接続する無線アクセスネットワークがＦＤＤ方式又はＴＤＤ方式のどちらであるかを判断して、報告するＦＩＧビットセットを変更することが検討されている。
【先行技術文献】
【非特許文献】
【０００８】
【非特許文献１】３ＧＰＰ  ＴＳ３６.３３１  Ａｎｎｅｘ  Ｂ.１/Ｃ.１
【非特許文献２】３ＧＰＰ  ＴＳ２３.４０１
【発明の概要】
【発明が解決しようとする課題】
【０００９】
しかしながら、現在のＬＴＥ方式の仕様では、移動局ＵＥは、「ＵＥ  Ｃａｐａｂｉｌｉｔｙ（ＦＧＩビットセットを含む）」の内容を変更する場合には、デタッチ（Ｄｅｔａｃｈ）処理を行う必要がある。
【００１０】
したがって、ＦＤＤ方式及びＴＤＤ方式の両方に対応している移動通信システムでは、移動局ＵＥは、同一の位置登録エリア内であっても、ＦＤＤ方式の無線基地局ｅＮＢ配下のセルからＴＤＤ方式の無線基地局ｅＮＢ配下のセルにハンドオーバする場合、及び、ＴＤＤ方式の無線基地局ｅＮＢ配下のセルからＦＤＤ方式の無線基地局ｅＮＢ配下のセルにハンドオーバする場合には、「ＵＥ  Ｃａｐａｂｉｌｉｔｙ」の内容（すなわち、ＦＧＩビットセットの内容）を変更することになるため、その都度、デタッチ処理を行う必要があるという問題点があった。
【００１１】
そこで、本発明は、上述の課題に鑑みてなされたものであり、移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにハンドオーバすることができる移動通信方法及び無線基地局を提供することを目的とする。
【００１２】
また、本発明は、移動局ＵＥが、デタッチ処理を行うことなく、同一の位置登録エリア内のＴＤＤ方式の無線基地局ｅＮＢ配下のセルからＦＤＤ方式の無線基地局ｅＮＢ配下のセルにハンドオーバすることができる移動通信方法及び無線基地局を提供することを目的とする。
【課題を解決するための手段】
【００１３】
本発明の第１の特徴は、移動局が、ＦＤＤ方式の無線基地局配下のセルからＴＤＤ方式の無線基地局配下のセルにハンドオーバする移動通信方法であって、前記ＴＤＤ方式の無線基地局が、前記ＦＤＤ方式の無線基地局から、ハンドオーバ要求信号を受信すると、該ＦＤＤ方式の無線基地局を介して、前記移動局に対して、通信を行うために必要なＴＤＤ方式及びＦＤＤ方式で共通の設定情報を含むハンドオーバ指示信号を送信する工程と、前記ＴＤＤ方式の無線基地局が、前記移動局から、ハンドオーバ完了信号を受信すると、該移動局に対して、能力要求信号を送信する工程と、前記移動局が、前記能力要求信号に応じて、前記ＴＤＤ方式の無線基地局に対して、該移動局によってサポートされている必須機能について示すＴＤＤ方式用の機能グループ指示情報を送信する工程と、前記ＴＤＤ方式の無線基地局が、移動管理ノードに対して、前記ＴＤＤ方式用の機能グループ指示情報を送信する工程とを有することを要旨とする。
【００１４】
本発明の第２の特徴は、移動局が、ＴＤＤ方式の無線基地局配下のセルからＦＤＤ方式の無線基地局配下のセルにハンドオーバする移動通信方法であって、前記ＦＤＤ方式の無線基地局が、前記ＴＤＤ方式の無線基地局から、ハンドオーバ要求信号を受信すると、該ＴＤＤ方式の無線基地局を介して、前記移動局に対して、通信を行うために必要なＴＤＤ方式及びＦＤＤ方式で共通の設定情報を含むハンドオーバ指示信号を送信する工程と、前記ＦＤＤ方式の無線基地局が、前記移動局から、ハンドオーバ完了信号を受信すると、該移動局に対して、能力要求信号を送信する工程と、前記移動局が、前記能力要求信号に応じて、前記ＦＤＤ方式の無線基地局に対して、該移動局によってサポートされている必須機能について示すＦＤＤ方式用の機能グループ指示情報を送信する工程と、前記ＦＤＤ方式の無線基地局が、移動管理ノードに対して、前記ＦＤＤ方式用の機能グループ指示情報を送信する工程とを有することを要旨とする。
【００１５】
本発明の第３の特徴は、ＴＤＤ方式の無線基地局であって、移動局のＦＤＤ方式の無線基地局配下のセルから前記ＴＤＤ方式の無線基地局配下のセルへのハンドオーバ処理において、前記ＦＤＤ方式の無線基地局からハンドオーバ要求信号が受信された場合、該ＦＤＤ方式の無線基地局を介して、前記移動局に対して、通信を行うために必要なＴＤＤ方式及びＦＤＤ方式で共通の設定情報を含むハンドオーバ指示信号を送信するように構成されている送信部と、前記移動局からハンドオーバ完了信号が受信された場合、該移動局から、該移動局によってサポートされている必須機能について示すＴＤＤ方式用の機能グループ指示情報を取得するように構成されている受信部とを具備することを要旨とする。
【００１６】
本発明の第４の特徴は、ＦＤＤ方式の無線基地局であって、移動局のＴＤＤ方式の無線基地局配下のセルから前記ＦＤＤ方式の無線基地局配下のセルへのハンドオーバ処理において、前記ＴＤＤ方式の無線基地局からハンドオーバ要求信号が受信された場合、該ＴＤＤ方式の無線基地局を介して、前記移動局に対して、通信を行うために必要なＴＤＤ方式及びＦＤＤ方式で共通の設定情報を含むハンドオーバ指示信号を送信するように構成されている送信部と、前記移動局からハンドオーバ完了信号が受信された場合、該移動局から、該移動局によってサポートされている必須機能について示すＦＤＤ方式用の機能グループ指示情報を取得するように構成されている受信部とを具備することを要旨とする。
【発明の効果】
【００１７】
以上説明したように、本発明によれば、移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにハンドオーバすることができる移動通信方法及び無線基地局を提供することができる。
【００１８】
また、本発明によれば、移動局ＵＥが、デタッチ処理を行うことなく、同一の位置登録エリア内のＴＤＤ方式の無線基地局ｅＮＢ配下のセルからＦＤＤ方式の無線基地局ｅＮＢ配下のセルにハンドオーバすることができる移動通信方法及び無線基地局を提供することができる。
【図面の簡単な説明】
【００１９】
【図１】本発明の第１の実施形態に係る移動通信システムの全体構成図である。
【図２】本発明の第１の実施形態に係る移動通信システムで用いられるＦＧＩビットセットの一例を示す図である。
【図３】本発明の第１の実施形態に係る無線基地局の機能ブロック図である。
【図４】本発明の第１の実施形態に係る移動通信システムの動作を説明するシーケンス図である。
【図５】本発明の第１の実施形態に係る移動通信システムの動作を説明するシーケンス図である。
【発明を実施するための形態】
【００２０】
（本発明の第１の実施形態に係る移動通信システム）
図１乃至図５を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００２１】
図１に示すように、本実施形態に係る移動通信システムは、移動管理ノードＭＭＥ（Ｍｏｂｉｌｉｔｙ  Ｍａｎａｇｅｍｅｎｔ  Ｅｎｔｉｔｙ）と、ＦＤＤ方式の無線基地局ｅＮＢ＃１と、ＴＤＤ方式の無線基地局ｅＮＢ＃２とを具備している。
【００２２】
図２に示すように、本実施形態に係る移動通信システムでは、ＦＤＤ方式用のＦＧＩビットセットの構成及びＴＤＤ方式用のＦＧＩビットセットの構成として、同一の構成が用いられるものとする。
【００２３】
例えば、図２に示すように、ＦＤＤ方式用のＦＧＩビットセット内に、Ｒｅｌｅａｓｅ-８における必須機能のグループ毎に移動局ＵＥが対応するか否かについて示すＦＧＩビット「１」〜「３２」が規定されており、Ｒｅｌｅａｓｅ-１０における必須機能のグループ毎に移動局ＵＥが対応するか否かについて示すＦＧＩビット「１０１」〜「１３２」が規定されている。
【００２４】
同様に、図２に示すように、ＴＤＤ方式用のＦＧＩビットセット内に、ＴＤＤ方式用のＦＧＩビットセットＲｅｌｅａｓｅ-８における必須機能のグループ毎に移動局ＵＥが対応するか否かについて示すＦＧＩビット「１」〜「３２」が規定されており、Ｒｅｌｅａｓｅ-１０における必須機能のグループ毎に移動局ＵＥが対応するか否かについて示すＦＧＩビット「１０１」〜「１３２」が規定されている。
【００２５】
ここで、両ＦＧＩビットセットに含まれるＦＧＩビット「１」〜「３２」及び「１０１」〜「１３２」が対応する必須機能のグループは同一であるものとする。
【００２６】
なお、移動局ＵＥは、ＦＤＤ方式用のＦＧＩビットセットに含まれるＦＧＩビットの設定及びＴＤＤ方式用のＦＧＩビットセットに含まれるＦＧＩビットの設定を区別して設定することができるように構成されている。
【００２７】
以下、図３を参照して、本実施形態に係る無線基地局ｅＮＢ＃１/ｅＮＢ２の機能について説明する。なお、無線基地局ｅＮＢ＃１及び無線基地局ｅＮＢ＃２の構成のうちの本発明に関連する構成は同一であるため、図３の例では、両者を統括して無線基地局ｅＮＢと記載して説明するものとする。
【００２８】
図３に示すように、無線基地局ｅＮＢは、受信部１１と、制御部１２と、送信部１３とを具備している。
【００２９】
受信部１１は、移動局ＵＥや移動管理ノードＭＭＥや周辺無線基地局ｅＮＢから各種信号（図４及び図５に示す信号）を受信するように構成されている。
【００３０】
送信部１３は、移動局ＵＥや移動管理ノードＭＭＥや周辺無線基地局ｅＮＢに対して各種信号（図４及び図５に示す信号）を送信するように構成されている。
【００３１】
制御部１２は、移動局ＵＥのハンドオーバに係る処理を制御するように構成されている。具体的な制御方法については後述する。
【００３２】
以下、図４及び図５を参照して、本実施形態に係る移動通信システムの動作について説明する。
【００３３】
第１に、図４を参照して、本実施形態に係る移動通信システムにおいて、移動局ＵＥが、ＦＤＤ方式の無線基地局ｅＮＢ＃１配下のセルからＴＤＤ方式の無線基地局ｅＮＢ＃２配下のセルにハンドオーバする場合の動作について説明する。
【００３４】
図４に示すように、ステップＳ１００１において、ＦＤＤ方式の無線基地局ｅＮＢ＃１とＴＤＤ方式の無線基地局ｅＮＢ＃２との間で「Ｘ２  Ｓｅｔｕｐ手順」が行われた際に、無線基地局ｅＮＢ＃１は、無線基地局ｅＮＢ＃２がＴＤＤ方式に対応する無線基地局であることを認識し、無線基地局ｅＮＢ＃２は、無線基地局ｅＮＢ＃１がＦＤＤ方式に対応する無線基地局であることを認識する。
【００３５】
ここで、無線基地局ｅＮＢ＃１及び無線基地局ｅＮＢ＃２は、「Ｘ２  Ｓｅｔｕｐ手順」で交換される周波数情報に基づいて、ＦＤＤ方式/ＴＤＤ方式を認識してもよい。
【００３６】
ステップＳ１００２において、無線基地局ｅＮＢ＃１配下のセルで接続状態にある移動局ＵＥは、無線基地局ｅＮＢ＃１に対して、「Ｍｅａｓｕｒｅｍｅｎｔ  Ｒｅｐｏｒｔ」を送信する。
【００３７】
ステップＳ１００３において、無線基地局ｅＮＢ＃１は、上述のハンドオーバを行うことを決定すると、無線基地局ｅＮＢ＃２に対して、「Ｈａｎｄｏｖｅｒ  Ｒｅｑｕｅｓｔ」を送信する。
【００３８】
無線基地局ｅＮＢ＃２は、ステップＳ１００４において、受信した「Ｈａｎｄｏｖｅｒ  Ｒｅｑｕｅｓｔ」が、ＦＤＤ方式のセルからＴＤＤ方式のセルへのハンドオーバに係る信号であると判断し、ステップＳ１００５において、無線基地局ｅＮＢ＃１に対して、「Ｄｅｆａｕｌｔ  Ｃｏｎｆｉｇｕｒａｔｉｏｎ」を含む「Ｈａｎｄｏｖｅｒ  Ｃｏｍｍａｎｄ」を含む「Ｈａｎｄｏｖｅｒ  Ｒｅｑｕｅｓｔ  ＡＣＫ」を送信する。
【００３９】
ここで、「Ｄｅｆａｕｌｔ  Ｃｏｎｆｉｇｕｒａｔｉｏｎ」は、通信を行うために必要な設定情報であって、ＴＤＤ方式及びＦＤＤ方式で共通して設定可能な内容を含む。
【００４０】
したがって、「Ｄｅｆａｕｌｔ  Ｃｏｎｆｉｇｕｒａｔｉｏｎ」は、ＦＤＤ方式における通信を行う際に最適な設定情報にも、ＴＤＤ方式における通信を行う際に最適な設定情報にもなっていないものと想定される。
【００４１】
ステップＳ１００６において、無線基地局ｅＮＢ＃１は、移動局ＵＥに対して、かかる「Ｈａｎｄｏｖｅｒ  Ｃｏｍｍａｎｄ」を送信する。
【００４２】
ステップＳ１００７において、移動局ＵＥは、無線基地局ｅＮＢ＃２に対して、「Ｈａｎｄｏｖｅｒ  Ｃｏｍｐｌｅｔｅ」を送信する。
【００４３】
無線基地局ｅＮＢ＃２は、ステップＳ１００８において、受信した「Ｈａｎｄｏｖｅｒ  Ｃｏｍｐｌｅｔｅ」が、ＦＤＤ方式のセルからＴＤＤ方式のセルへのハンドオーバに係る信号であると判断し、ステップＳ１００９において、移動局ＵＥに対して、「ＵＥ  Ｃａｐａｂｉｌｉｔｙ  Ｒｅｑｕｅｓｔ」を送信する。
【００４４】
ステップＳ１０１０において、移動局ＵＥは、無線基地局ｅＮＢ＃２に対して、ＴＤＤ方式用のＦＧＩビットセットを含む「ＴＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を送信する。
【００４５】
ステップＳ１０１１において、無線基地局ｅＮＢ＃２は、受信したＴＤＤ方式用のＦＧＩビットセットを含む「ＴＤＤ  ＵＥ  Ｃａｐａｂｉｌｉｔｙ」を保持し、移動管理ノードＭＭＥに対して、ＴＤＤ方式用のＦＧＩビットセットを含む「ＴＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信する。
【００４６】
ステップＳ１０１２において、移動管理ノードＭＭＥは、通知された「ＴＤＤ  ＵＥ  Ｃａｐａｂｉｌｉｔｙ（ＴＤＤ方式用のＦＧＩビットセットを含む）」に基づいて、移動局ＵＥ用の「ＵＥ  Ｃａｐａｂｉｌｉｔｙ（ＦＧＩビットセットを含む）」を更新する。
【００４７】
第２に、図５を参照して、本実施形態に係る移動通信システムにおいて、移動局ＵＥが、ＴＤＤ方式の無線基地局ｅＮＢ＃２配下のセルからＦＤＤ方式の無線基地局ｅＮＢ＃１配下のセルにハンドオーバする場合の動作について説明する。
【００４８】
図５に示すように、ステップＳ２００１において、ＦＤＤ方式の無線基地局ｅＮＢ＃１とＴＤＤ方式の無線基地局ｅＮＢ＃２との間で「Ｘ２  Ｓｅｔｕｐ手順」が行われた際に、無線基地局ｅＮＢ＃１は、無線基地局ｅＮＢ＃２がＴＤＤ方式に対応する無線基地局であることを認識し、無線基地局ｅＮＢ＃２は、無線基地局ｅＮＢ＃１がＦＤＤ方式に対応する無線基地局であることを認識する。
【００４９】
ここで、無線基地局ｅＮＢ＃１及び無線基地局ｅＮＢ＃２は、「Ｘ２  Ｓｅｔｕｐ手順」で交換される周波数情報に基づいて、ＦＤＤ方式/ＴＤＤ方式を認識してもよい。
【００５０】
ステップＳ２００２において、無線基地局ｅＮＢ＃２配下のセルで接続状態にある移動局ＵＥは、無線基地局ｅＮＢ＃２に対して、「Ｍｅａｓｕｒｅｍｅｎｔ  Ｒｅｐｏｒｔ」を送信する。
【００５１】
ステップＳ２００３において、無線基地局ｅＮＢ＃２は、上述のハンドオーバを行うことを決定すると、無線基地局ｅＮＢ＃１に対して、「Ｈａｎｄｏｖｅｒ  Ｒｅｑｕｅｓｔ」を送信する。
【００５２】
無線基地局ｅＮＢ＃１は、ステップＳ２００４において、受信した「Ｈａｎｄｏｖｅｒ  Ｒｅｑｕｅｓｔ」が、ＴＤＤ方式のセルからＦＤＤ方式のセルへのハンドオーバに係る信号であると判断し、ステップＳ２００５において、無線基地局ｅＮＢ＃２に対して、「Ｄｅｆａｕｌｔ  Ｃｏｎｆｉｇｕｒａｔｉｏｎ」を含む「Ｈａｎｄｏｖｅｒ  Ｃｏｍｍａｎｄ」を含む「Ｈａｎｄｏｖｅｒ  Ｒｅｑｕｅｓｔ  ＡＣＫ」を送信する。
【００５３】
ステップＳ２００６において、無線基地局ｅＮＢ＃２は、移動局ＵＥに対して、かかる「Ｈａｎｄｏｖｅｒ  Ｃｏｍｍａｎｄ」を送信する。
【００５４】
ステップＳ２００７において、移動局ＵＥは、無線基地局ｅＮＢ＃１に対して、「Ｈａｎｄｏｖｅｒ  Ｃｏｍｐｌｅｔｅ」を送信する。
【００５５】
無線基地局ｅＮＢ＃１は、ステップＳ２００８において、受信した「Ｈａｎｄｏｖｅｒ  Ｃｏｍｐｌｅｔｅ」が、ＴＤＤ方式のセルからＦＤＤ方式のセルへのハンドオーバに係る信号であると判断し、ステップＳ２００９において、移動局ＵＥに対して、「ＵＥ  Ｃａｐａｂｉｌｉｔｙ  Ｒｅｑｕｅｓｔ」を送信する。
【００５６】
ステップＳ２０１０において、移動局ＵＥは、無線基地局ｅＮＢ＃１に対して、ＦＤＤ方式用のＦＧＩビットセットを含むＦ「ＦＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を送信する。
【００５７】
ステップＳ２０１１において、無線基地局ｅＮＢ＃１は、受信したＦＤＤ方式用のＦＧＩビットセットを含む「ＦＤＤ  ＵＥ  Ｃａｐａｂｉｌｉｔｙ」を保持し、移動管理ノードＭＭＥに対して、ＦＤＤ方式用のＦＧＩビットセットを含む「ＦＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信する。
【００５８】
ステップＳ２０１２において、移動管理ノードＭＭＥは、通知された「ＦＤＤ  ＵＥ  Ｃａｐａｂｉｌｉｔｙ（ＦＤＤ方式用のＦＧＩビットセットを含む）」に基づいて、移動局ＵＥ用の「ＵＥ  Ｃａｐａｂｉｌｉｔｙ（ＦＧＩビットセットを含む）」を更新する。
【００５９】
本実施形態に係る移動通信システムでは、移動局ＵＥの同一の位置登録エリア内の無線基地局ｅＮＢ＃１配下のセルから無線基地局ｅＮＢ＃２配下のセルへのハンドオーバ処理が終わった後、無線基地局ｅＮＢ＃２が、移動局ＵＥから、ＴＤＤ方式におけるＦＧＩビットセットを取得するように構成されている。
【００６０】
したがって、本実施形態に係る移動通信システムによれば、移動局ＵＥが、デタッチ処理を行うことなく、同一の位置登録エリア内のＦＤＤ方式の無線基地局ｅＮＢ＃１配下のセルからＴＤＤ方式の無線基地局ｅＮＢ＃２配下のセルにハンドオーバすることができる。
【００６１】
同様に、本実施形態に係る移動通信システムでは、移動局ＵＥの同一の位置登録エリア内の無線基地局ｅＮＢ＃２配下のセルから無線基地局ｅＮＢ＃１配下のセルへのハンドオーバ処理が終わった後、無線基地局ｅＮＢ＃１が、移動局ＵＥから、ＦＤＤ方式におけるＦＧＩビットセットを取得するように構成されている。
【００６２】
したがって、本実施形態に係る移動通信システムによれば、移動局ＵＥが、デタッチ処理を行うことなく、同一の位置登録エリア内のＴＤＤ方式の無線基地局ｅＮＢ＃２配下のセルからＦＤＤ方式の無線基地局ｅＮＢ＃１配下のセルにハンドオーバすることができる。
【００６３】
以上に述べた本実施形態の特徴は、以下のように表現されていてもよい。
【００６４】
本実施形態の第１の特徴は、移動局ＵＥが、ＦＤＤ方式の無線基地局ｅＮＢ＃１配下のセルからＴＤＤ方式の無線基地局ｅＮＢ＃２配下のセルにハンドオーバする移動通信方法であって、ＴＤＤ方式の無線基地局ｅＮＢ＃２が、ＦＤＤ方式の無線基地局ｅＮＢ＃１から、「Ｈａｎｄｏｖｅｒ  Ｒｅｑｕｅｓｔ（ハンドオーバ要求信号）」を受信すると、ＦＤＤ方式の無線基地局ｅＮＢ＃１を介して、移動局ＵＥに対して、通信を行うために必要なＴＤＤ方式及びＦＤＤ方式で共通の「Ｄｅｆａｕｌｔ  Ｃｏｎｆｉｇｕｒａｔｉｏｎ（設定情報）」を含む「Ｈａｎｄｏｖｅｒ  Ｃｏｍｍａｎｄ（ハンドオーバ指示信号）」を送信する工程と、ＴＤＤ方式の無線基地局ｅＮＢ＃２が、移動局ＵＥから、「Ｈａｎｄｏｖｅｒ  Ｃｏｍｐｌｅｔｅ（ハンドオーバ完了信号）」を受信すると、移動局ＵＥに対して、「ＵＥ  Ｃａｐａｂｉｌｉｔｙ  Ｒｅｑｕｅｓｔ（能力要求信号）」を送信する工程と、移動局ＵＥが、「ＵＥ  Ｃａｐａｂｉｌｉｔｙ  Ｒｅｑｕｅｓｔ」に応じて、ＴＤＤ方式の無線基地局ｅＮＢ＃２に対して、移動局ＵＥによってサポートされている必須機能について示すＴＤＤ方式用のＦＧＩビットセット（機能グループ指示情報）を送信する工程と、ＴＤＤ方式の無線基地局ｅＮＢ＃２が、移動管理ノードＭＭＥに対して、ＴＤＤ方式用のＦＧＩビットセットを送信する工程とを有することを要旨とする。
【００６５】
本実施形態の第２の特徴は、移動局ＵＥが、ＴＤＤ方式の無線基地局ｅＮＢ＃２配下のセルからＦＤＤ方式の無線基地局ｅＮＢ＃１配下のセルにハンドオーバする移動通信方法であって、ＦＤＤ方式の無線基地局ｅＮＢ＃１が、ＴＤＤ方式の無線基地局ｅＮＢ＃２から「Ｈａｎｄｏｖｅｒ  Ｒｅｑｕｅｓｔ」を受信すると、ＴＤＤ方式の無線基地局ｅＮＢ＃２を介して、移動局ＵＥに対して「Ｄｅｆａｕｌｔ  Ｃｏｎｆｉｇｕｒａｔｉｏｎ」を含む「Ｈａｎｄｏｖｅｒ  Ｃｏｍｍａｎｄ」を送信する工程と、ＦＤＤ方式の無線基地局ｅＮＢ＃１が、移動局ＵＥから「Ｈａｎｄｏｖｅｒ  Ｃｏｍｐｌｅｔｅ」を受信すると、移動局ＵＥに対して、「ＵＥ  Ｃａｐａｂｉｌｉｔｙ  Ｒｅｑｕｅｓｔ」を送信する工程と、移動局ＵＥが、「ＵＥ  Ｃａｐａｂｉｌｉｔｙ  Ｒｅｑｕｅｓｔ」に応じて、ＦＤＤ方式の無線基地局ｅＮＢ＃１に対して、ＦＤＤ方式用のＦＧＩビットセットを送信する工程と、ＦＤＤ方式の無線基地局ｅＮＢ＃１が、移動管理ノードＭＭＥに対して、ＦＤＤ方式用のＦＧＩビットセットを送信する工程とを有することを要旨とする。
【００６６】
本実施形態の第３の特徴は、ＴＤＤ方式の無線基地局ｅＮＢ＃２であって、  移動局ＵＥのＦＤＤ方式の無線基地局ｅＮＢ＃１配下のセルからＴＤＤ方式の無線基地局ｅＮＢ＃２配下のセルへのハンドオーバ処理において、ＦＤＤ方式の無線基地局ｅＮＢ＃１から「Ｈａｎｄｏｖｅｒ  Ｒｅｑｕｅｓｔ」が受信された場合、ＦＤＤ方式の無線基地局ｅＮＢ＃１を介して、移動局ＵＥに対して、「Ｄｅｆａｕｌｔ  Ｃｏｎｆｉｇｕｒａｔｉｏｎ」を含む「Ｈａｎｄｏｖｅｒ  Ｃｏｍｍａｎｄ」を送信するように構成されている送信部１３と、移動局ＵＥから「Ｈａｎｄｏｖｅｒ  Ｃｏｍｐｌｅｔｅ」が受信された場合、移動局ＵＥから、ＴＤＤ方式用のＦＧＩビットセットを取得するように構成されている受信部１１とを具備することを要旨とする。
【００６７】
本実施形態の第４の特徴は、ＦＤＤ方式の無線基地局ｅＮＢ＃１であって、  移動局ＵＥのＴＤＤ方式の無線基地局ｅＮＢ＃２配下のセルからＦＤＤ方式の無線基地局ｅＮＢ＃１配下のセルへのハンドオーバ処理において、ＴＤＤ方式の無線基地局ｅＮＢ＃２から「Ｈａｎｄｏｖｅｒ  Ｒｅｑｕｅｓｔ」が受信された場合、ＴＤＤ方式の無線基地局ｅＮＢ＃１を介して、移動局ＵＥに対して、「Ｄｅｆａｕｌｔ  Ｃｏｎｆｉｇｕｒａｔｉｏｎ」を含む「Ｈａｎｄｏｖｅｒ  Ｃｏｍｍａｎｄ」を送信するように構成されている送信部１３と、移動局ＵＥから「Ｈａｎｄｏｖｅｒ  Ｃｏｍｐｌｅｔｅ」が受信された場合、移動局ＵＥから、ＦＤＤ方式用のＦＧＩビットセットを取得するように構成されている受信部１１とを具備することを要旨とする。
【００６８】
なお、上述の移動管理ノードＭＭＥや無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００６９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢ＃１/ｅＮＢ＃２や移動局ＵＥ内に設けられていてもよい。また、かかる記憶媒体及びプロセッサは、ディスクリートコンポーネントとして移動管理ノードＭＭＥや無線基地局ｅＮＢ＃１/ｅＮＢ＃２や移動局ＵＥ内に設けられていてもよい。
【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７２】
ＭＭＥ…移動管理ノード
ＵＥ…移動局
ｅＮＢ…無線基地局
１１…受信部
１２…制御部
１３…送信部
【図１】
2013102290.tif 000003
【図２】
2013102290.tif 000004
【図３】
2013102290.tif 000005
【図４】
2013102290.tif 000006
【図５】
2013102290.tif 000007